(57)【特許請求の範囲】
【請求項１】
振幅を示す信号パラメータに関して所与の変調度で変調されたキャリヤ信号（ＣＳＭ１）を受けるための受信器手段（２）と、
受信器手段（２）に接続されている接続手段（５）と、この接続手段（５）に接続されて、変調されたキャリヤ信号（ＣＳＭ１）を復調し、復調されたキャリヤ信号（ＣＳ１）を出力するために構成され、かつ、変調されたキャリヤ信号（ＣＳＭ１）のために用いられる所与の変調度に適合された感度を持つ復調段（１５）とを含む集積回路（４）と、
復調段（１５）に続き、復調されたキャリヤ信号（ＣＳ１）を処理するために構成されている信号処理手段（１８）と、
を含むデータキャリヤ（１）において、
前記データキャリヤ（１）は、振幅を示す前記信号パラメータに関して、他の所与の変調度で変調された少なくとも１つの追加のキャリヤ信号（ＣＳＭ２、ＣＳＭ３）を受けるために構成され、
回路（４）は、また接続手段（５）に接続されて、追加の変調されたキャリヤ信号（ＣＳＭ２、ＣＳＭ３）のために用いられる他の所与の変調度に適合された他の感度を持つ少なくとも１つの追加の復調段（１９、２０）を含み、
１つの復調段（１５、１９または２０）のみに優先度が与えられること、復調されたキャリヤ信号（ＣＳ１、ＣＳ２またはＣＳ３）がこの１つの復調段（１５、１９または２０）からのみ信号処理手段（１８）に到達すること、変調されたキャリヤ信号（ＣＳＭ）の少なくとも２つの復調段（１５、１９、２０または１９、２０）による同時復調の場合に、最低の感度を持っている復調段（１５または１９）に優先度が与えられること、およびこの１つの復調段（１５または１９）のみから復調されたキャリヤ信号（ＣＳ１またはＣＳ２）が到達することを確実にする優先度手段（２５）が設けられており、
優先度手段（２５）は、復調段（１５、１９または２０）に優先度を認めた後で、所与の優先期間の間その認められた優先度を維持するように構成されていることを特徴とするデータキャリヤ（１）。
【請求項２】
請求項１記載のデータキャリヤ（１）であって、各復調段（１５、１９、２０）に対して、優先度手段（２５）が、関連する復調段（１５、１９、２０）により復調されたキャリヤ信号（ＣＳ１、ＣＳ２、ＣＳ３）の出力を検出する検出段（２６、２７、２８）を含み、
各検出段（２６、２７、２８）は検出信号（ＤＳ１、ＤＳ２、ＤＳ３）を出力でき、  検出信号（ＤＳ１、ＤＳ２、ＤＳ３）を供給されることができ、かつ検出信号（ＤＳ１、ＤＳ２、ＤＳ３）に依存して１つの復調段（１５、１９または２０）のみに優先度が与えられること、復調されたキャリヤ信号（ＣＳ１、ＣＳ２またはＣＳ３）がこの１つの復調段（１５、１９または２０）からのみ信号処理手段（１８）に到達すること、変調されたキャリヤ信号（ＣＳＭ）の少なくとも２つの復調段（１５、１９、２０または１９、２０）による同時復調の場合に、最低の感度を持っている復調段（１５または１９）に優先度が与えられること、およびこの１つの復調段（１５または１９）のみから復調されたキャリヤ信号（ＣＳ１またはＣＳ２）が到達することを確実にする制御手段（１２）が設けられていることを特徴とするデータキャリヤ（１）。
【請求項３】
請求項２記載のデータキャリヤ（１）であって、優先度手段（２５）は復調段（１５、１９、２０）を含み、
それらの復調段（１５、１９、２０）は制御信号（ＳＳ４、ＳＳ５、ＳＳ６）により動作を停止可能及び動作可能に構成され、
制御手段（１２）は復調段（１５、１９、２０）の動作を停止したり、動作させたりするために制御信号（ＳＳ４、ＳＳ５、ＳＳ６）を発生して、出力するために構成されている、
ことを特徴とするデータキャリヤ（１）。
【請求項４】
請求項２記載のデータキャリヤ（１）であって、優先度手段（２５）は、復調段（１５、１９、２０）に直列接続されている信号送り段（３２、３３、３４）を含み、  信号送り段（３２、３３、３４）は制御信号（ＳＳ１、ＳＳ２、ＳＳ３）により動作を停止可能及び動作可能に構成され、
制御手段（１２）は信号送り段（３２、３３、３４）の動作を停止したり、動作させたりするために制御信号（ＳＳ１、ＳＳ２、ＳＳ３）を発生して、出力するために構成されている、
ことを特徴とするデータキャリヤ（１）。
【請求項５】
信号パラメータに関して所与の変調度で変調されたキャリヤ信号（ＣＳＭ１）を受けるための接続手段（５）と、
接続手段（５）に接続されて、変調されたキャリヤ信号（ＣＳＭ１）を復調し、復調されたキャリヤ信号（ＣＳ１）を出力するために構成され、かつ、変調されたキャリヤ信号（ＣＳＭ１）のために用いられる所与の変調度に適合された感度を持つ復調段（１５）と、
復調段（１５）に続き、復調されたキャリヤ信号（ＣＳ１）を処理するために構成されている信号処理手段（１８）と、
を含むデータキャリヤ（１）のための集積回路（４）において、
データキャリヤ（１）は、同じ信号パラメータに関して、他の所与の変調度で変調された少なくとも１つの追加のキャリヤ信号（ＣＳＭ２、ＣＳＭ３）を受けるために構成され、
回路（４）は、また接続手段（５）に接続されて、追加の変調されたキャリヤ信号（ＣＳＭ２、ＣＳＭ３）のために用いられる他の所与の変調度に適合された他の感度を持つ少なくとも１つの追加の復調段（１９、２０）を含み、
１つの復調段（１５、１９または２０）のみに優先度が与えられること、復調されたキャリヤ信号（ＣＳ１、ＣＳ２またはＣＳ３）がこの１つの復調段（１５、１９または２０）からのみ信号処理手段（１８）に到達すること、変調されたキャリヤ信号（ＣＳＭ）の少なくとも２つの復調段（１５、１９、２０または１９、２０）による同時復調の場合に、最低の感度を持っている復調段（１５または１９）に優先度が与えられること、およびこの１つの復調段（１５または１９）のみから復調されたキャリヤ信号（ＣＳ１またはＣＳ２）が到達することを確実にする優先度手段（２５）が設けられており、
優先度手段（２５）は、復調段（１５、１９または２０）に優先度を認めた後で、所与の優先期間の間その認められた優先度を維持するように構成されていることを特徴とするデータキャリヤ（１）のための集積回路（４）。
【請求項６】
請求項５記載の集積回路（４）であって、各復調段（１５、１９、２０）に対して、優先度手段（２５）が、関連する復調段（１５、１９、２０）により復調されたキャリヤ信号（ＣＳ１、ＣＳ２、ＣＳ３）の出力を検出する検出段（２６、２７、２８）を含み、  各検出段（２６、２７、２８）は検出信号（ＤＳ１、ＤＳ２、ＤＳ３）を出力でき、  検出信号（ＤＳ１、ＤＳ２、ＤＳ３）を供給されることができ、かつ検出信号（ＤＳ１、ＤＳ２、ＤＳ３）に依存して１つの復調段（１５、１９または２０）のみに優先度が与えられること、復調されたキャリヤ信号（ＣＳ１、ＣＳ２またはＣＳ３）がこの１つの復調段（１５、１９または２０）からのみ信号処理手段（１８）に到達すること、変調されたキャリヤ信号（ＣＳＭ）の少なくとも２つの復調段（１５、１９、２０または１９、２０）による同時復調の場合に、最低の感度を持っている復調段（１５または１９）に優先度が与えられること、およびこの１つの復調段（１５または１９）のみから復調されたキャリヤ信号（ＣＳ１またはＣＳ２）が到達することを確実にする制御手段（１２）が設けられていることを特徴とする集積回路（４）。
【請求項７】
請求項６記載の集積回路（４）であって、優先度手段（２５）は復調段（１５、１９、２０）を含み、
それらの復調段（１５、１９、２０）は制御信号（ＳＳ４、ＳＳ５、ＳＳ６）により動作を停止可能及び動作可能に構成され、
制御手段（１２）は復調段（１５、１９、２０）の動作を停止したり、動作させたりするために制御信号（ＳＳ４、ＳＳ５、ＳＳ６）を発生して、出力するために構成されている、
ことを特徴とする集積回路（４）。
【請求項８】
請求項６記載の集積回路（４）であって、優先度手段（２５）は、復調段（１５、１９、２０）に直列接続されている信号送り段（３２、３３、３４）を含み、
信号送り段（３２、３３、３４）は制御信号により動作を停止可能及び動作可能に構成され、
制御手段（１２）は信号送り段（３２、３３、３４）の動作を停止したり、動作させたりするために制御信号（ＳＳ１、ＳＳ２、ＳＳ３）を発生して、出力するために構成されている、
ことを特徴とする集積回路（４）。
【発明の詳細な説明】
【０００１】
【発明の属する技術分野】
信号パラメータ（振幅）に関して所与の変調度で変調されたキャリヤ信号を受けるための受信器手段と、受信器手段に接続されている接続手段と、この接続手段に接続されて、変調されたキャリヤ信号を復調し、復調されたキャリヤ信号を出力するために構成され、かつ、変調されたキャリヤ信号のために用いられる所与の変調度に適合された感度を持つ復調段とを含む集積回路と、復調段に続き、復調されたキャリヤ信号を処理するために構成されている信号処理手段と、を含むデータキャリヤに関するものである。
【０００２】
また本発明は、信号パラメータ（振幅）に関して所与の変調度で変調されたキャリヤ信号を受けるための接続手段と、接続手段に接続されて、変調されたキャリヤ信号を復調し、復調されたキャリヤ信号を出力するために構成され、かつ、変調されたキャリヤ信号のために用いられる所与の変調度に適合された感度を持つ復調段と、復調段に続き、復調されたキャリヤ信号を処理するために構成されている信号処理手段と、含むデータキャリヤのための集積回路（４）にも関するものである。
【０００３】
【従来の技術】
最初の文節において述べた種類のデータキャリヤと、第２の文節において述べた種類の集積回路とは、トランスポンダ装置ともしばしば呼ばれている商業的に利用できるデータキャリヤ装置から知られている。書込み／読出し部からのデータをそのようなデータキャリヤ装置におけるデータキャリヤ（トランスポンダ）へ送るために、キャリヤ信号が書込み／読出し部で変調される、すなわち、送るべきデータに依存して変調される。そのような既知のデータキャリヤ装置は振幅変調の形の変調を利用するために、書込み／読出し部は振幅変調されたキャリヤ信号をデータキャリヤへ送る。この振幅変調されたキャリヤ信号は、既知のデータキャリヤに含まれている復調段、すなわち、振幅復調段、により復調されるので、復調に続いて復調されたキャリヤ信号が得られ、それから、既知のデータキャリヤへ送られたデータを取り出すことができる。
【０００４】
既知のデータキャリヤ装置においては、または既知のデータキャリヤにおいては、キャリヤ信号は振幅変調される。その振幅変調では変調度、すなわち、いわゆる変調率、はほぼ１００％に達する。そのような振幅変調の利点は、この目的のために求められる振幅変調手段を集積回路として間単に製造できるという事実にほぼ存在する。しかし、変調度または変調率が１００％であるそのような振幅変調には、この振幅変調が用いられると、送信中に生ずるる側帯波信号が比較的高いレベルを持ち、それが干渉作用に関する国家の特定の法令に適合する際にしばしば問題を生ずるという欠点がある。
【０００５】
【発明が解決しようとする課題】
本発明の目的は、最初の文節において述べた種類のデータキャリヤと、第２の文節において述べた種類の集積回路とにおいて述べた諸問題を避け、改良されたデータキャリヤと改良された集積回路を非常に僅かな手段を用いて簡単なやり方で実現することである。
【０００６】
【課題を解決するための手段】
最初の文節において述べた本発明のデータキャリヤのためにこの目的を達成するために、データキャリヤは、同じ信号パラメータ（振幅）に関して、他の所与の変調度で変調された少なくとも１つの追加のキャリヤ信号を受けるために構成され、回路は、また接続手段に接続されて、追加の変調されたキャリヤ信号のために用いられる他の所与の変調度に適合された他の感度を持つ少なくとも１つの追加の復調段を含み、各時刻に１つの復調段のみに優先度が与えられること、復調されたキャリヤ信号がこの１つの復調段からのみ信号処理手段に到達すること、変調されたキャリヤ信号の少なくとも２つの復調段による同時復調の場合に、各時刻に最低の感度を持っている復調段に各時刻に優先度が与えられること、およびこの１つの復調段のみから復調されたキャリヤ信号が到達することを確実にする優先度手段が設けられている。
【０００７】
第２の文節において述べた本発明の集積回路のために上記目的を達成するために、データキャリヤは、同じ信号パラメータ（振幅）に関して、他の所与の変調度で変調された少なくとも１つの追加のキャリヤ信号を受けるために構成され、回路は、また接続手段に接続されて、追加の変調されたキャリヤ信号のために用いられる他の所与の変調度に適合された他の感度を持つ少なくとも１つの追加の復調段を含み、各時刻に１つの復調段のみに優先度が与えられること、復調されたキャリヤ信号がこの１つの復調段からのみ信号処理手段に到達すること、変調されたキャリヤ信号の少なくとも２つの復調段による同時復調の場合に、各時刻に最低の感度を持っている復調段に各時刻に優先度が与えられること、およびこの１つの復調段のみから復調されたキャリヤ信号が到達することを確実にする優先度手段が設けられている。
【０００８】
比較的簡単に実現できる手段を用いて、本発明に従って提案されたステップの結果として、本発明のデータキャリヤ、または本発明の回路は、種々の変調度を持つ変調されたキャリヤ信号を、特殊な機器を求められることなく、受けて復調できる。優先度手段は、常に最高の信号対雑音比を持つ復調された定性的に最良のキャリヤ信号を提供する復調段のみが復調されたキャリヤ信号を適切な信号処理手段に出力するように、その復調段に優先度が常に与えられることを簡単かつ効果的に確実に行う。
【０００９】
請求項２と７で提案されているステップをとると有利であることが判明している。その理由は、それらのステップによって非常に信頼性が高く、かつ妨害とは無関係な実現が可能だからである。
【００１０】
請求項３と８で提案されているステップは有利である。というのは、復調されたキャリヤ信号を以後の信号処理手段へ送られることを抑制するために復調段が更に用いられるためである。
【００１１】
しかし、請求項４と９に開示されているステップも有利であることが見出されている。その理由は、そうすると通常の復調段を使用できるからである。
【００１２】
請求項５と１０に開示されているステップも非常に有利であることが見出されている。そのわけは、それらのステップによって、優先度を与えられていない復調段の出力端子に生ずる妨害信号が、優先度を与えられた復調段による復調されたキャリヤ信号出力の所望の繰りに対して擾乱作用を行わないためである。
【００１３】
本発明の上記面およびその他の面は一実施例かに説明する諸実施例から明らかになるであろうし、かつそれらの実施例を基にして解明されるであろう。
【００１４】
【発明の実施の形態】
図に示されている２つの実施例を参照して本発明を以後詳細に説明する。ただし、本発明はそれらに限定されるものではない。
【００１５】
図１は本発明のデータキャリヤの第１の実施例を示す。データキャリヤ１は受信器手段２を含む。この受信器手段は信号パラメータに関して所与の変調度で変調されている第１のキャリヤ信号ＣＳＭ１を受けるために構成されている。今の場合には、第１の変調されたキャリヤ信号ＣＳＭ１は１００％の変調度で振幅変調されているキャリヤ信号である。変調度はいわゆる変調率ともしばしば呼ばれている。受信器手段２はずっと以前から知られているように送信器コイル３を含んでいる。
【００１６】
データキャリヤ１は集積回路４を含んでいる。その集積回路は接続手段５を含み、その接続手段に受信器手段２が接続される。接続手段５は２つの接続接点６Ａと６Ｂを含む。
【００１７】
回路４は電圧発生手段７を含む。その電圧発生手段は第１の接続部６Ａに接続されており、受信器手段２により受信されるたびに変調されているキャリヤ信号ＣＳＭを電圧発生手段に供給できる。電圧発生手段７は変調されているキャリヤ信号ＣＳＭが供給されるたびに、その信号を用いて電源電圧Ｖを発生できる。その電源電圧は電圧発生手段７により出力端子８を介して出力される。発生された電源電圧Ｖは、図１に示すように、データキャリヤ１、または回路４の、電源電圧Ｖを必要とする全ての回路素子に供給できる。リセット信号発生手段１０が接続部９を介して電圧発生手段７に接続されている。それらのリセット信号発生手段は、電源ＤＣ電圧Ｖが発生された時にリセット信号ＲＳを発生できる（データキャリヤ１が書込み／読出し部の通信距離内に入った時は常に）。それによっていわゆる「電源投入−リセット」を開始できる。リセット信号ＲＳは接続部１１を介してデータキャリヤ１または回路４の制御手段１２に加えることができる。今の場合には、制御手段１２は簡単な論理回路によって構成されているが、代わりにマイクロコンピュータにより構成できる。
【００１８】
回路４はクロック信号再生手段１３も含む。このクロック信号発生手段は第１の接続部６Ａにも接続されている。クロック信号発生手段１３はそれぞれの受けられた変調されているキャリヤ信号からクロック信号ＣＬＫを発生できる。したがって、クロック信号ＣＬＫは回路４と、変調されているキャリヤ信号ＣＳＭを送っている書込み／読出し部とにおいて利用できる。再生されたクロック信号ＣＬＫは接続部１４を介して制御手段１２に加えることができる。
【００１９】
回路４は第１の復調段１５も含む。今の場合にはその復調段は振幅復調段により構成されている。第１の復調段１５は、１００％の変調度で変調されている第１のキャリヤ信号ＣＳＭ１を復調するため、すなわち、振幅復調するために構成されている。したがって、第１の復調段１５は第１の変調されているキャリヤ信号ＣＳＭ１の１００％変調度に適合されていいる感度を持つ。復調段１５は第１の復調されているキャリヤ信号ＣＳ１を出力するために構成されている。第１の復調されているキャリヤ信号ＣＳ１は、復調段１５の出力端子１６を介して、第１の接続部１７に出力される。
【００２０】
回路１４は信号処理手段１８も含んでいる。この信号手段は第１の復調段１５に続いており、第１の復調されているキャリヤ信号ＣＳ１を処理するために構成されている。信号処理手段１８は復号手段と、信号整形手段と、試験手段等を含むが、それらの手段はここでの文脈には関連しないので、それらの手段はここでは詳細には説明しない。
【００２１】
図１に示されているデータキャリヤ１におけるクロック信号再生手段１３はクロック信号１３を再生するために構成されているだけである。しかし、クロック信号再生手段１３は１００％の変調度で変調されている第１のキャリヤ信号ＣＳＭ１の復調のために同時に使用できるので有利である。その理由は、この変調されたキャリヤ信号の１００％変調されている信号部分中はクロック信号ＣＬＫが完全に存在しないためである。したがって、単に、クロック信号再生手段１３の出力端子に生ずる信号、すなわち、接続部１４に生ずる信号を、クロック信号ＣＬＫの存在の有無を検出する検出段に加えられるように、使用する必要がある。前記検出段は復調されたキャリヤ信号ＣＳ１に一致する信号を出力する。そのような検出段は、たとえば、非常に簡単なＲＣ部材によって構成できる。これは、１００％の変調度で変調されている第１のキャリヤ信号ＣＳＭ１の復調のために第１の復調段１５の代わりにすでに存在するクロック信号再生手段１３を使用でき、更に極めて簡単な検出段のみを使用できることを意味する。これは非常に簡単で安価な実現を構成する。
【００２２】
図１のデータキャリヤ１は少なくとも１つの追加の変調されたキャリヤ信号を受けるために構成することが好ましい。今の場合には２つの追加の変調されたキャリヤ信号ＣＳＭ２とＣＳＭ３である。２つの追加の変調されたキャリヤ信号ＣＳＭ２とＣＳＭ３はキャリヤ信号の同じ信号パラメータに関して、したがって、キャリヤ信号の振幅に関して変調されている。ただし変調度は異なっている。第２の変調されたキャリヤ信号ＣＳＭ２は振幅に関して５０％の変調度で変調されている。第３の変調されたキャリヤ信号ＣＳＭ３は振幅に関して１０％の変調度で変調されている。
【００２３】
２つの追加の変調されたキャリヤ信号ＣＳＭ２とＣＳＭ３の復調のために、データキャリヤ１の回路４には２つの追加の復調段１９と２０が設けられている。それらの復調段は、第１の復調段１５と同様に、接続手段５に、すなわち、接続手段５の第１の接続部６Ａに接続されている。２つの追加の復調段１９と２０のおのおのは、２つの追加の変調されたキャリヤ信号ＣＳＭ２とＣＳＭ３に適合されている異なる感度を持っている。第３の復調段２０は第３の追加の変調されたキャリヤ信号ＣＳＭ３の１０％変調度に適合させられた感度を有する。これは、第３の復調段２０の感度が第２の復調段１９の感度よりも高く、したがって、第１の復調段１５の感度よりも高いことを意味する。いいかえると、３つの復調段１５、１９および２０のうちで第１の復調段１５の感度が最低で、第３の復調段２０の感度が最高であり、第２の復調段１９が、第１の復調段１５の感度と第３の復調段２０の感度との間にある中間の感度を持っていることである。
【００２４】
第２の復調段１９は第２の変調されたキャリヤ信号ＣＳＭ２を復調することを意図され、かつ構成されている。第２の復調段１９は第２の復調されたキャリヤ信号ＣＳ２を出力するために構成されている。そのキャリヤ信号は出力端子２１を介して接続部２２に出力される。第３の復調段２０は第３の変調されたキャリヤ信号ＣＳＭ３を復調することを意図され、かつ構成されている。第３の復調段２０は第３の復調されたキャリヤ信号ＣＳ３を出力するために構成されている。そのキャリヤ信号は出力端子２３を介して第３の接続部２４に出力される。２つの復調段１９と２０は振幅復調段によって構成もされる。
【００２５】
図１に示されているデータキャリヤ１の回路４には優先度手段２５も設けられている。その優先度手段２５は、各時刻にただ１つの復調段１５、１９または２０に優先度が与えられること、復調されたキャリヤ信号ＣＳ１、ＣＳ２またはＣＳ３がこの１つの復調段１５、１９または２０からのみ信号処理手段１８に到達すること、変調されたキャリヤ信号ＣＳＭ１またはＣＳＭ２の少なくとも２つの復調段１５、１９、および２０または１９と２０による同時復調の場合に、最低の感度を持っている１つの復調段１５または１９から復調されたキャリヤ信号ＣＳ１またはＣＳ２のみが信号処理手段１８に到達できるように、復調段１５または１９のみに優先度が常に与えられることを確実にするように構成されている。
【００２６】
各復調段１５、１９、２０に対して、優先度手段２５は検出段２６、２７、２８をそれぞれ有する。それらの検出段は、関連する復調段１５、１９または２０によりそれぞれ復調されたキャリヤ信号ＣＳ１、ＣＳ２またはＣＳ３の出力を検出するために構成されている。各検出段２６、２７または２８はそれぞれ検出信号ＤＳ１、ＤＳ２またはＤＳ３を、すなわち、接続部２９、３０または３１をそれぞれ介して出力できる。検出信号ＤＳ１、ＤＳ２およびＤＳ３を制御手段１２に加えることができるように、３つの接続部２９、３０または３１は制御手段１２に接続されている。受けられた検出信号ＤＳ１、ＤＳ２およびＤＳ３に依存して、制御手段１２は、常にただ１つの復調段１５、１９または２０に優先度が与えられること、復調されたキャリヤ信号ＣＳ１、ＣＳ２またはＣＳ３がこの１つの復調段１５、１９または２０からのみ信号処理手段１８に到達すること、変調されたキャリヤ信号ＣＳＭ１またはＣＳＭ２の少なくとも２つの復調段１５、１９、および２０または１９と２０による同時復調の場合に、各時刻に最低の感度を持っている復調段１５または１９のみに優先度が常に与えられること、およびこお１つの復調段１５または１９から復調されたキャリヤ信号ＣＳ１またはＣＳ２が信号処理手段１８に到達できることを確実にする。
【００２７】
上記を実現するために、優先度手段２５は信号送り段３２、３３および３４を含む。それらの信号送り段は復調段１５、１９および２０に直列に接続されている、すなわち、今の場合には復調段１５、１９および２０に続く。それらの信号送り段３２、３３および３４は制御信号ＳＳ１、ＳＳ２およびＳＳ３によって動作を停止したり、動作させたりできる。検出信号ＤＳ１、ＤＳ２およびＤＳ３に依存して制御手段１２により発生できる制御信号ＳＳ１、ＳＳ２およびＳＳ３を、制御接続部３５、３６および３７を介して信号送り段３２、３３および３４の制御入力端子３８、３９および４０に加えることができる。第１の制御接続部３５に第１の制御信号ＳＳ１が生ずると、第１の信号送り段３２が起動させられる、すなわち、それの導通状態に駆動されるために、第１の接続部１７に存在する第１の復調されたキャリヤ信号ＣＳ１を信号処理手段１８へ送ることができる。第２の制御接続部３６に第２の制御信号ＳＳ２が現れると、第２の信号送り段３３が起動させられる、すなわち、その場合にそれの導通状態に駆動されるために、第２の接続部２２に存在する第２の復調されたキャリヤ信号ＣＳ２を信号処理手段１８へ送ることができる。第３の制御接続部３７に第３の制御信号ＳＳ３が生ずると、第３の信号送り段３４が起動させられる、すなわち、それの導通状態に駆動されるために、その場合に接続部２４に存在する第３の復調されたキャリヤ信号ＣＳ３を信号処理手段１８へ送ることができる。
【００２８】
３つの信号送り段３２、３３、３４は別々の段により構成できる。しかし、実際には、図１の１点鎖線で線図的に示されているように、マルチプレクサ５０により３つの信号送り段３２、３３、３４を実現すると有利である。
【００２９】
優先度手段２５によって、３つの信号送り段３２、３３、３４をの１つを駆動することにより優先度を１つの復調段１５、１９または２０に認めるすなわち割り当てることができる。優先度手段２５は、１つの復調段１５、１９または２０に優先度を認めた後で、優先度手段２５が所与の期間だけその認められた優先度を持続するようにして構成されている。実際には、これは、制御手段１２が関連する信号送り段３２、３３または３４をそれの導通状態に調整した後の所与の優先期間の間信号送り段３２、３３または３４をそれの導通状態に保つことによって達成される。優先期間、たとえば、コマンド列の持続期間または次の電源投入−リセットまで、すなわち、次のリセット信号ＲＳが生ずるまでの期間にできる。
【００３０】
データキャリヤ１、またはデータキャリヤ１の回路４、の動作を以後に簡単に説明する。
【００３１】
１０％の変調率すなわち変調度で振幅に関して変調された第３の振幅変調されたキャリヤ信号ＣＳＭ３がデータキャリヤ１、または回路４、に加えられる。この第３の振幅変調されたキャリヤ信号ＣＳＭ３は第３の復調段２０のみによって復調される。その理由は、この第３の復調段２０が最高の感度を持ち、かつそれの高い感度のためにたった１０％だけ振幅変調されている第３のキャリヤ信号ＣＳＭ３に応答するからである。この場合には、第３の復調段２０のみが復調されたキャリヤ信号、すなわち、復調された第３のキャリヤ信号ＣＳ３をそれの出力端子２３を介して出力する。この出力は第３の復調段２８により検出され、その結果第３の検出段２８は第３の検出信号ＤＳ３を、接続部３１を介して、制御手段１２に加える。その結果、制御手段１２は、第３の制御接続部３７を介して、第３の制御信号ＳＳ３を第３の信号送り段３４に加える。そのために第３の信号送り段３４は起動させられる、すなわち、それの導通状態に駆動させられ、その結果第３の復調されたキャリヤ信号ＣＳ３が信号処理手段１８に送られる。第１の信号送り段３２と第２の信号送り段３３には制御信号ＳＳ１とＳＳ２は加えられないので、２つの信号送り段３２と３３は起動させられず、動作を停止したままである。したがって、優先度手段２５により優先度が第３の信号送り段３４に割り当てられ、あるいは認められる。
【００３２】
５０％の変調率すなわち変調度で振幅に関して変調された第２の振幅変調されたキャリヤ信号ＣＳＭ２がデータキャリヤ１、または回路４、に加えられると、この第２の振幅変調されたキャリヤ信号ＣＳＭ２により第３の復調段２０が起動されるばかりでなく、第２の復調段１９も起動される。その理由は、第２の復調段１９が５０％の変調度に適合させられた感度を持ち、かつ復調段２０の感度が第２の復調段１９のそれよりも高く、したがって、第３の復調段２０も起動させられるのである。その結果、２つの復調段１９と２０が第２の復調されたキャリヤ信号ＣＳＭ２を同時に復調するので、それぞれの復調されたキャリヤ信号が２つの復調段１９、２０の出力端子２１、２３に生ずる、すなわち、第２の復調されたキャリヤ信号ＣＳ２が第２の復調段１９の出力端子２１に生じ、第３の復調されたキャリヤ信号ＣＳ３が第３の復調段２０の出力端子２３に生ずる。
【００３３】
２つの復調されたキャリヤ信号ＣＳ２とＣＳ３の発生は２つの検出段２７と２８により検出され、その結果として２つの検出段２７と２８は２つの検出信号ＤＳ２とＤＳ３を出力する。それらの信号は、接続部３０と３１を介して、制御手段１２に加えられる。制御手段１２は、２つの検出信号ＤＳ２とＤＳ３がその後で第２の制御信号ＳＳ２を、第２の制御接続部３６を介して、第２の信号送り手段３３に出力するようにして、それらの検出信号を処理する。その結果、第２の信号送り手段３３のみが起動させられる、すなわち、それの導通状態に駆動されるために、第２の接続部２２に存在する、第２の復調されたキャリヤ信号ＣＳ２のみが信号処理手段１２に送られる。説明した場合では、制御手段１２は第３の制御信号ＳＳ３を第３の信号送り段３４へ出力せず、第３の信号送り段３４はそれの動作を停止させられたままにされる、すなわち、非導通状態のままにされるために、処理手段１８への第３の復調されたキャリヤ信号ＣＳ３の送りは排除される。第１の信号送り段３２も動作を停止されたままである。したがって、この場合には優先度手段２５は第２の復調段１９に優先度を割り当てるすなわち認める。
【００３４】
１００％の変調率すなわち変調度で振幅に関して変調された第１の振幅変調されたキャリヤ信号ＣＳＭ１がデータキャリヤ１、または回路４、に加えられると、３つの復調段１５、１９および２０の全てが起動されるために、３つの復調段１５、１９および２０は復調されたキャリヤ信号、すなわち、第１の復調されたキャリヤ信号ＣＳ１と、第２の復調されたキャリヤ信号ＣＳ２と、第３の復調されたキャリヤ信号ＣＳ３とを、それの出力端子１６、２１および２３を介して出力する。
【００３５】
３つの復調されたキャリヤ信号ＣＳ１、ＣＳ２およびＣＳ３の発生は３つの検出段２６、２７および２８により検出され、その結果として検出段２６、２７および２８はそれの検出信号ＤＳ１、ＤＳ２およびＤＳ３を接続部２９、３０および３１を介して制御手段１２に出力する。その後で制御手段１２は、受けた検出信号ＤＳ１、ＤＳ２およびＤＳ３が第１の制御信号ＳＳ１のみを発生するようにしてそれらの検出信号を処理する。その第１の制御信号ＳＳ１は第１の制御接続部３５を介して、第１の信号送り段３２に加えられる。第２の制御信号ＣＳ２と第３の制御信号ＣＳ３とは発生されないために、それらの信号は第２の信号送り段３３と第３の信号送り段３４には加えられない。したがって、第１の信号送り段３２のみがそれの導通状態に駆動されて、第１の接続部１７に生ずる、第１の復調されたキャリヤ信号ＣＳ１のみが信号処理手段１８へ送られる。したがって、優先度手段２５は優先度を、この場合には最低の感度を持つ第１の復調段１５に認める。
【００３６】
図２は本発明のデータキャリヤ１の第２の実施例を示す。このデータキャリヤは、優先度手段２５が３つの復調段１５、１９および２０を含んでいること、および制御信号ＳＳ４、ＳＳ５およびＳＳ６により動作を停止したり、動作することができるように復調段１５、１９および２０が構成され、かつ、復調段１５、１９および２０の動作を停止したり、動作を開始したりするために、制御手段１２がその制御信号ＳＳ４、ＳＳ５およびＳＳ６を発生し、出力するために構成されている点が、図１に示されているデータキャリヤ１と本質的に異なる。制御手段１２と３つの制御可能な復調段１５、１９および２０との間に、今は３つの制御接続部４１、４２および４３が存在する。それの第１の制御接続部４１は第１の復調段１５の制御入力端子４４まで延び、第２の制御接続部４２は第２の復調段１９の制御入力端子４４まで延び、第３の制御接続部４３は第３の復調段２０の制御入力端子４４まで延びている。
【００３７】
図２に示されているデータキャリヤ１の３つの復調段１５、１９および２０は３つの信号送り段３２、３３および３４と同じようにして制御される。
【００３８】
データキャリヤ１、または回路４、が第３の振幅変調されたキャリヤ信号ＣＳＭ３を受けると、その場合には第３の復調段２０のみが起動させられ、第３の制御信号ＳＳ６が第３の復調段２０のみに加えられて、第３の復調段２０が起動させられ、他の２つの復調段１５と１９は制御信号ＳＳ４またはＳＳ５を受けないために、それら２つの復調段１５と１９は動作を停止されたままである。
【００３９】
データキャリヤ１、または回路４、が第２の振幅変調されたキャリヤ信号ＣＳＭ２を受けると、その場合には第２の復調段１９と第３の復調段２０が起動される、制御手段１２が第２の制御信号ＳＳ５のみを第２の復調段１９に加えるので、第２の復調段１９のみが起動され、他の２つの復調段１５と２０は動作を停止される。
【００４０】
データキャリヤ１、または回路４、が第１の振幅変調されたキャリヤ信号ＣＳＭ１を受けると、その場合には３つの復調段１５、１９および２０が起動される、第１の復調段１５のみが第１の制御信号ＳＳ４を制御手段１２から受けるために、第１の復調段１５のみが起動され、他の２つの復調段１９と２０は動作を停止される。
【００４１】
したがって、復調段１５、１９および２０の制御された起動または動作停止によって、図２のデータキャリヤの復調段１５、１９および２０のおのおのに優先度が認められる。
【００４２】
説明したデータキャリヤでは、異なる変調度で振幅変調されている、キャリヤ信号ＣＳＭ１、ＣＳＭ２およびＣＳＭ３を受けること、および復調できると有利である。それは、復調されたキャリヤ信号ＣＳＭ１、ＣＳＭ２またはＣＳＭ３を、受けられるキャリヤ信号ＣＳＭ１、ＣＳＭ２またはＣＳＭ３に対して最も適する復調段１５、１９または２０によってのみ信号処理手段１８に出力できることが常に確実に行われるために、完全かつ高品質の復調されたキャリヤ信号ＣＳ１、ＣＳ２またはＣＳ３を処理するために復調されたキャリヤ信号ＣＳ１、ＣＳ２またはＣＳ３が信号処理１８に常に確実に加えられる。
【００４３】
データキャリヤの説明した両方の実施例は、振幅変調されたキャリヤ信号が振幅復調段１５、１９および２０により受けられて、振幅復調されるようにするデータキャリヤに関するものである。本発明のステップは振幅変調されたキャリヤ信号を受け、復調し、送るために構成されているデータキャリヤに限定されるものではないことを明確に注目すべきである。本発明のステップは、少なくとも２つの周波数変調されたキャリヤ信号または位相変調されたキャリヤ信号を受けるために構成されたデータキャリヤのために同様に実現できる。そうすると、それらのデータキャリヤは少なくとも２つの周波数復調段または少なくとも２つの位相復調段を含み、それらに優先度手段によりそれぞれの優先度を与えることができる。必要があれば、本発明のデータキャリヤには４つ以上の復調段を設けることもできる。
【００４４】
図１を参照して説明したデータキャリヤに関しては、データキャリヤ１内で３つの復調段１５、１９および２０に直列接続されている信号送り手段３２、３３、３４を、信号路内で復調段１５、１９および２０より先行するように接続できることにも注目すべきである。また、第１の信号送り手段３２を用いることなしにそのようなデータキャリヤ１を効果的に使用できることにも注目すべきである。更に、そのようなデータキャリヤ１にただ２つの復調段、たとえば、２つの復調段１５と２０のみを設けることができることに注目すべきである。
【００４５】
図２を参照して説明したデータキャリヤに関しては、このデータキャリヤ１内の第１の復調段１５を動作停止できないように、または起動できないように接続することもできることに注目すべきである。このデータキャリヤ１はただ２つの復調段、たとえば、２つの復調段１５と２０のみを用いて効果的に使用することもできる。
【図面の簡単な説明】
【図１】  本発明の第１の実施例におけるデータキャリヤと、そのようなデータキャリヤのための回路とのこの文脈で重要な部分を示すブロック図。
【図２】  第２の実施例におけるデータキャリヤと、そのようなデータキャリヤのための回路とのこの文脈で重要な部分を示すブロック図。
【符号の説明】
１  データキャリヤ
２  受信器手段
４  回路
５  接続手段
１２  制御手段
１５、１９、２０  復調段
１８  信号処理手段
２５  優先度手段
２６、２７、２８  検出段
３２、３３、３４  信号送り段
【図１】
0004431279.tif 000002
【図２】
0004431279.tif 000003